(57)【要約】      （修正有）【課題】撮像装置本体部のマウント部に装着されるレンズ装置の電気的接点部の位置が変化する複数の使用形態において、レンズ装置と撮像装置本体部との電気的な接続が可能な撮像装置およびマウントアダプタを提供する。【解決手段】撮像装置１００の本体部は、交換レンズ７００とマウントアダプタが装着可能なマウント部を備える。接点ユニット３００は移動機構部により光軸方向への移動が可能であり、複数の接点端子から成る第１接点部３０１を有する。第１マウントアダプタ８００を介して交換レンズ７００が本体部に装着される場合、第１接点部３０１は交換レンズ７００に設けられた第２接点部７０１ａと接触する第１の位置に移動可能である。また第２マウントアダプタ９００を介して交換レンズ７００が本体部に装着される場合、第１接点部３０１は交換レンズ７００の第２接点部７０１ａと接触する第２の位置に移動可能である。【選択図】図２
2018066813.tif 000002
【特許請求の範囲】
【請求項１】
レンズ装置およびマウントアダプタが装着されるマウント部を備える撮像装置であって、
前記レンズ装置の接点部と電気的に接続される接点部を有する接点ユニットと、
前記接点ユニットを撮像光学系の光軸方向に移動し得る状態で支持する移動機構部と、を備え、
前記接点ユニットの接点部は、第１のマウントアダプタを介して装着されるレンズ装置の接点部と接触する第１の位置と、第２のマウントアダプタを介して装着されるレンズ装置の接点部と接触する第２の位置に移動し得る
ことを特徴とする撮像装置。
【請求項２】
レンズ装置およびマウントアダプタが装着されるマウント部を備える撮像装置であって、
前記レンズ装置の接点部と電気的に接続される接点部を有する接点ユニットと、
前記接点ユニットを撮像光学系の光軸方向に移動し得る状態で支持する移動機構部と、を備え、
前記接点ユニットの接点部は、前記マウントアダプタを介して装着されるレンズ装置の接点部と接触する第１の位置と、前記マウントアダプタを介さずに前記マウント部に装着されるレンズ装置の接点部と接触する第２の位置に移動し得る
ことを特徴とする撮像装置。
【請求項３】
レンズ装置が装着されるマウント部を備える撮像装置であって、
前記レンズ装置の接点部と電気的に接続される接点部を有する接点ユニットと、
前記接点ユニットを撮像光学系の光軸方向に移動し得る状態で支持する移動機構部と、を備え、
前記接点ユニットの接点部は、前記マウント部に装着される第１のレンズ装置の接点部と接触する第１の位置と、前記マウント部に装着される第２のレンズ装置の接点部と接触する第２の位置に移動し得る
ことを特徴とする撮像装置。
【請求項４】
レンズ装置およびマウントアダプタが装着されるマウント部を備える撮像装置であって、
前記レンズ装置の接点部と電気的に接続される接点部を有する接点ユニットと、
前記接点ユニットを撮像光学系の光軸方向に移動し得る状態で支持する移動機構部と、を備え、
前記接点ユニットの接点部は、前記マウントアダプタを介して装着される複数のレンズ装置の接点部とそれぞれ接触する複数の位置、または前記マウントアダプタを介さずに前記マウント部に装着される複数のレンズ装置の接点部とそれぞれ接触する複数の位置に移動し得る
ことを特徴とする撮像装置。
【請求項５】
前記接点ユニットの接点部は前記移動機構部によって、複数の前記レンズ装置の接点部とそれぞれ接触する３つ以上の位置に移動し得ることを特徴とする請求項４に記載の撮像装置。
【請求項６】
前記第１の位置は、前記接点ユニットの移動範囲における第１の端位置であり、前記第２の位置は前記移動範囲における第２の端位置である
ことを特徴とする請求項１から３のいずれか１項に記載の撮像装置。
【請求項７】
前記移動機構部は、前記接点ユニットと係合して光軸方向とは異なる方向への当該接点ユニットの移動を規制するガイドレールを備える
ことを特徴とする請求項１から６のいずれか１項に記載の撮像装置。
【請求項８】
前記移動機構部は、前記接点ユニットが前記第１または第２の位置から変位した際に、前記第１の位置または第２の位置に引き付ける付勢力を付与する弾性支持体を備える
ことを特徴とする請求項１から３のいずれか１項に記載の撮像装置。
【請求項９】
前記弾性支持体は板ばねである
ことを特徴とする請求項８に記載の撮像装置。
【請求項１０】
前記接点ユニットは、前記撮像装置の操作開口部を介して外部に露出される位置操作部を有する
ことを特徴とする請求項１から９のいずれか１項に記載の撮像装置。
【請求項１１】
前記接点ユニットは光軸方向に突出した突出部を有し、
前記突出部は、前記撮像装置の本体部に設けられた被係合部と係合し、前記接点ユニットの移動範囲に亘って前記操作開口部を遮蔽する
ことを特徴とする請求項１０に記載の撮像装置。
【請求項１２】
前記接点ユニットは、光軸方向の移動が可能な第１のロックピンと、当該ロックピンを第１の方向に付勢する付勢手段を備え、
前記第１のロックピンは、前記レンズ装置またはマウントアダプタに設けられたマウントロック溝と嵌合される
ことを特徴とする請求項１から４のいずれか１項に記載の撮像装置。
【請求項１３】
前記接点ユニットは、光軸方向の移動が可能な第２のロックピンと、当該ロックピンを前記第１の方向とは反対の第２の方向に付勢する付勢手段を備え、
前記第２のロックピンは、前記第１のロックピンがマウントロック溝と嵌合される前記レンズ装置またはマウントアダプタとは異なるレンズ装置またはマウントアダプタに設けられたマウントロック溝と嵌合される
ことを特徴とする請求項１２に記載の撮像装置。
【請求項１４】
前記第１のロックピンの突出量は、前記接点ユニットが光軸方向へ移動する距離よりも小さく、前記マウント部に装着された前記レンズ装置またはマウントアダプタと当接した場合に前記突出量がゼロになる位置に退避する
ことを特徴とする請求項１２または請求項１３に記載の撮像装置。
【請求項１５】
前記第２のロックピンの突出量は、前記接点ユニットが光軸方向へ移動する距離よりも小さく、前記マウント部に装着された前記レンズ装置またはマウントアダプタと当接した場合に前記突出量がゼロになる位置に退避する
ことを特徴とする請求項１３に記載の撮像装置。
【請求項１６】
請求項１、２、４のいずれか１項に記載の撮像装置のマウント部に装着可能なマウントアダプタ。
【請求項１７】
請求項１２に記載の撮像装置に装着されるマウントアダプタであって、
前記第１のロックピンと嵌合する前記マウントロック溝を有する
ことを特徴とするマウントアダプタ。
【請求項１８】
光軸回り方向と直交する方向において前記マウントロック溝の幅と前記第１のロックピンの幅が等しいか、または前記マウントロック溝の幅と前記第１のロックピンの幅との差分が予め定められた範囲内である
ことを特徴とする請求項１７に記載のマウントアダプタ。
【請求項１９】
前記第１のロックピンと当接するガイド斜面部を備え、
前記第１のロックピンが、前記ガイド斜面部に当接した状態から、前記マウントロック溝と嵌合した状態になることにより、前記マウントアダプタの光軸回り方向の回転が規制される
ことを特徴とする請求項１７または請求項１８に記載のマウントアダプタ。
【請求項２０】
請求項１３に記載の撮像装置に装着されるマウントアダプタであって、
前記第２のロックピンと嵌合する前記マウントロック溝を有し、
光軸回り方向と直交する方向において前記マウントロック溝の幅と前記第２のロックピンの幅が等しいか、または前記マウントロック溝の幅と前記第２のロックピンの幅との差分が予め定められた範囲内である
ことを特徴とするマウントアダプタ。
【請求項２１】
レンズ装置およびマウントアダプタが装着されるマウント部を備える撮像装置であって、
前記レンズ装置の接点部と電気的に接続される接点部を有する接点ユニットと、
前記接点ユニットを撮像光学系の光軸方向に移動し得る状態で支持する移動機構部と、を備え、
前記接点ユニットの接点部は、第１のレンズ装置および前記マウントアダプタ、または前記第１のレンズ装置が装着された場合に前記第１のレンズ装置の接点部と接触する第１の位置に移動し、第２のレンズ装置および前記マウントアダプタ、または前記第２のレンズ装置が装着された場合に前記第２のレンズ装置の接点部と接触する第２の位置に移動し得る
ことを特徴とする撮像装置。
【請求項２２】
前記接点ユニットを光軸方向の被写体側に付勢する弾性部材を備え、
前記接点ユニットは、前記レンズ装置またはマウントアダプタが前記マウント部へ装着されていない状態において光軸方向の被写体側に突出した状態であり、前記レンズ装置またはマウントアダプタが前記マウント部へ装着されるときに被写体側とは反対の方向に移動する
ことを特徴とする請求項２１に記載の撮像装置。
【請求項２３】
複数のマウント爪を有し、光軸回り方向に回転し得る状態で、マウント面を有する部材に支持された回転部材と、
前記回転部材を回転させつつ、光軸方向に移動させるマウント操作部を備える
ことを特徴とする請求項２１または請求項２２に記載の撮像装置。
【請求項２４】
前記回転部材は係合部を有し、該係合部は前記接点ユニットと係合することにより、当該接点ユニットの光軸方向の移動を規制する
ことを特徴とする請求項２３に記載の撮像装置。
【請求項２５】
前記レンズ装置およびマウントアダプタが前記マウント部に装着される際に、前記係合部は前記接点ユニットに設けられた係合溝と係合する
ことを特徴とする請求項２４に記載の撮像装置。
【請求項２６】
前記係合溝は、前記係合部が挿入される入り口に斜面部が形成されており、マウント操作部の回転により、前記係合部と前記斜面部とが当接し、前記接点ユニットが光軸方向の被写体側に移動する
ことを特徴とする請求項２５に記載の撮像装置。
【請求項２７】
前記接点ユニットは、複数のレンズ装置またはマウントアダプタにそれぞれ対応する複数の前記係合溝を有し、当該複数の係合溝は光軸方向に沿って離間して配置されている
ことを特徴とする請求項２６に記載の撮像装置。
【請求項２８】
前記接点ユニットは、
前記レンズ装置が前記マウント部に装着された場合に、当該レンズ装置の接点部と接続される接点部と、
前記マウントアダプタを介して前記レンズ装置が前記マウント部に装着された場合に、当該マウントアダプタの接点部と接続される接点部と、を有する
ことを特徴とする請求項２１から２７のいずれか１項に記載の撮像装置。
【請求項２９】
請求項２１から２８のいずれか１項に記載の撮像装置のマウント部に装着可能なマウントアダプタ。
【請求項３０】
前記接点ユニットに設けられた第１接点部と電気的に接続される第２接点部と、
可動レンズおよび該可動レンズの駆動機構部と、を備える
ことを特徴とする請求項２９に記載のマウントアダプタ。
【発明の詳細な説明】
【技術分野】
【０００１】
本発明は、撮像装置本体部にレンズ装置およびマウントアダプタを装着可能な撮像システムに関する。
【背景技術】
【０００２】
ミラーレス一眼レフカメラは、装置内部にミラーボックスを持たない構造のレンズ交換式カメラであり、一般的な一眼レフカメラに比べてフランジバックが短く設定されることが多い。フランジバックが長い一眼レフカメラ用の交換レンズを、カメラ本体部に取り付けて使用する場合、フランジバック調整用のマウントアダプタを装着する必要がある。マウントアダプタを装着することで、カメラ本体部側とは異なるマウント規格のレンズ装置を使用する際に、合焦位置を適切に設定できる。また、カメラ本体部と同一のマウント規格のレンズ装置の使用を想定し、撮像光学系全体の焦点距離を伸長させて使用することを目的として、マウントアダプタ内にテレコンバージョン光学系を備えた装置がある。ユーザは、カメラ本体部とマウントアダプタと交換レンズを組み合わせることで、様々な撮影形態を選択できる。
特許文献１には、マウントアダプタ内にワイドコンバージョン光学系を備えたシステムが開示されている。イメージサークルの異なるマウント規格のレンズ装置がカメラ本体部に装着された場合でも、カメラ本体部の撮像素子サイズに対して適切に縮小または拡大して結像させることができる。このマウントアダプタの使用により、イメージサークルが異なるマウント規格のレンズ本来のシステムで得られる画角で、被写体像が取得可能となる。
【先行技術文献】
【特許文献】
【０００３】
【特許文献１】特開２０１０−２６１２０号公報
【発明の概要】
【発明が解決しようとする課題】
【０００４】
レンズ交換式カメラシステムの場合、カメラ本体部およびそれに対応した交換レンズはそれぞれ複数の電気接点を有している。交換レンズがカメラ本体部に装着された場合、複数の電気接点は相互に接触してカメラ本体部および交換レンズを電気的に接続する。カメラ本体部と交換レンズとの間に介在されるマウントアダプタは、カメラ本体部と交換レンズとの通信を中継するために、カメラ本体部に対する電気接点および交換レンズに対する電気接点を備える。
【０００５】
マウントアダプタが中継用の電気接点を備えることで、その高コスト化および重量の増加が問題となる。また、物理的な接触箇所が増えることは通信不良のリスクを高める原因となる。そのため、カメラ本体部の電気接点と交換レンズの電気接点とが直接的に接触する機械的構成が望ましい。しかし、マウントアダプタの装着時および非装着時や、カメラ本体部に装着されるマウントアダプタの種類、さらには装着される交換レンズの規格によって、カメラ本体部のマウント部に対する交換レンズの電気接点の位置が変化する。
【０００６】
本発明は、撮像装置本体部のマウント部に装着されるレンズ装置の電気的接点部の位置が変化する複数の使用形態において、レンズ装置と撮像装置本体部との電気的な接続が可能な撮像装置およびマウントアダプタの提供を目的とする。
【課題を解決するための手段】
【０００７】
本発明の一実施形態の装置は、レンズ装置およびマウントアダプタが装着されるマウント部を備える撮像装置であって、前記レンズ装置の接点部と電気的に接続される接点部を有する接点ユニットと、前記接点ユニットを撮像光学系の光軸方向に移動し得る状態で支持する移動機構部と、を備える。前記接点ユニットの接点部は、第１のマウントアダプタを介して装着されるレンズ装置の接点部と接触する第１の位置と、第２のマウントアダプタを介して装着されるレンズ装置の接点部と接触する第２の位置に移動し得る。
【発明の効果】
【０００８】
本発明によれば、撮像装置本体部のマウント部に装着されるレンズ装置の電気的接点部の位置が変化する複数の使用形態において、レンズ装置と撮像装置本体部との電気的な接続が可能な撮像装置およびマウントアダプタを提供することができる。
【図面の簡単な説明】
【０００９】
【図１】本発明の実施形態に係る撮像装置の構造を模式的に示す断面図である。
【図２】第１の実施形態にてマウントアダプタ、交換レンズの装着状態を示す断面図である。
【図３】第２の実施形態にてマウントアダプタ、交換レンズの装着状態を示す断面図である。
【図４】第３の実施形態にて複数の異なる交換レンズの装着状態を示す断面図である。
【図５】本発明の第１実施例に係る撮像装置の外観斜視図である。
【図６】第１実施例に係る撮像装置の外観正面図である。
【図７】第１実施例の接点ユニットの構成を示す外観斜視図である。
【図８】第１実施例の接点ユニットの内部構造を示す断面図である。
【図９】第１実施例の接点ユニットの接点移動機構部を示す斜視図である。
【図１０】第１実施例の接点移動機構部の外観を示す図である。
【図１１】図１０の接点ユニットの接点移動機構部を示す断面図である。
【図１２】図１０（Ｂ）のｄ−ｄ線に沿う断面図である。
【図１３】第１実施例の撮像装置の要部を示す下面図である。
【図１４】図１０（Ａ）のｃ―ｃ線に沿う断面図である。
【図１５】第１のマウントアダプタを示す外観斜視図である。
【図１６】第１のマウントアダプタの装着動作を説明する斜視図である。
【図１７】第１のマウントアダプタのマウントロック溝およびロックピンガイドの構造を示す詳細図である。
【図１８】後方ロックピンと、マウントロック溝およびロックピンガイドの関係を示す正面図である。
【図１９】図１８に示す断面指示線に沿う各々の概略断面図である。
【図２０】後方ロックピンと、マウントロック溝およびロックピンガイドの関係を示す断面図である。
【図２１】第２のマウントアダプタを示す外観斜視図である。
【図２２】第２のマウントアダプタを撮像装置に装着した状態を示す斜視図および要部の断面図である。
【図２３】第１および第２のマウントアダプタの取り付け動作を説明する断面図である。
【図２４】第１実施例の変形例に係る接点移動機構を説明する要部の断面図である。
【図２５】第２実施例に係る撮像装置の外観斜視図である。
【図２６】第２実施例に係る撮像装置のマウント部に関わる部分の分解外観斜視図である。
【図２７】第２実施例に係る撮像装置のマウント操作部と回転部材の外観斜視図である。
【図２８】第２実施例に係る撮像装置の接点ユニットの外観斜視図である。
【図２９】第２実施例に係る第１のマウントアダプタを示す外観斜視図である。
【図３０】第１のマウントアダプタを撮像装置に装着する操作を説明する斜視図である。
【図３１】第２実施例に係るに係る撮像装置のマウント操作部と接点ユニットの位置関係を表す要部の正面図である。
【図３２】第２実施例に係る撮像装置の前側係合溝と接点端子係合部の位置関係を表す図である。
【図３３】第２実施例に係る第２のマウントアダプタを示す外観斜視図である。
【図３４】第２実施例に係る撮像装置の交換レンズおよび第２のマウントアダプタの取り付け時の状態を表す外観斜視図である。
【図３５】第２実施例に係る撮像装置の後側係合溝と接点端子係合部の位置関係を表す図である。
【図３６】第２実施例に係るマウントアダプタを本体部に装着した状態を表す斜視図である。
【図３７】第２実施例の変形例に係る接点端子部を示す図である。
【発明を実施するための形態】
【００１０】
本発明の実施形態を以下に説明する。各実施形態は本発明を適用した撮像装置を例示し、特許請求の範囲に係る発明を限定するものではなく、また以下に説明する特徴の組み合わせの全てが本発明に係る課題の解決手段として必須であるとは限らない。本明細書にて撮像装置の光軸方向において、被写体側を前側と定義し、被写体側から見た場合の上下左右の各方向を用いて各部の位置関係を説明する。各実施形態に共通する事項として、撮像装置１００の構造を説明し、次に第１から第３の実施形態の要点を説明する。そして第１の実施形態に係る撮像装置の具体的な構成を示す第１及び第２実施例について詳細図を用いて説明する。
【００１１】
図１を参照して、第１から第３の実施形態に係る撮像装置１００を説明する。図１は、一実施形態に係る撮像装置１００の構造を模式的に示す断面図である。図１は撮像装置１００の本体部にレンズ装置が装着された状態を示し、レンズ群を含む撮像光学系の光軸を１点鎖線ａで示す。撮像装置１００は、その本体部にレンズ装置を装着して使用可能な、いわゆるレンズ交換式カメラであり、マウント部２００を備える。マウント部２００には、交換レンズ７００またはマウントアダプタを装着可能である。マウント部２００にはマウント面２０１が形成され、これに取り付けられた交換レンズ７００の後方に位置する合焦面には撮像素子１０１が配置されている。撮像素子１０１は撮像光学系を通して受光面に結像された被写体の像を光電変換して電気信号を出力する。被写体光の結像面には３原色フィルタが配置されており、赤色、緑色、青色の光成分がそれぞれ透過する。撮像素子１０１への入射光は色成分ごとに電気信号に変換された後で所定の画像処理を施され、記録用データや表示用データが生成される。
【００１２】
撮像装置１００は接点ユニット３００を備える。接点ユニット３００は、交換レンズ７００が有するレンズ接点端子ユニット７０１と電気的に接続される部材である。接点ユニット３００には、複数の接点端子（以下、第１接点部という）３０１が露出した状態で配置されている。第１接点部３０１に対し、レンズ接点端子ユニット７０１は、複数のレンズ接点端子（以下、第２接点部という）７０１ａが露出した状態で配置されている。第１接点部３０１と第２接点部７０１ａとが接触することで、撮像装置１００と交換レンズ７００とが電気的に接続され、相互の通信が可能な状態となる。
【００１３】
撮像装置１００は、接点ユニット３００の移動機構部を備える。つまり、接点ユニット３００は、移動機構部により、撮像光学系の光軸方向（１点鎖線ａに示す方向）に移動可能である。よって、撮像装置１００のマウント面２０１と、マウント面２０１に取り付けられる交換レンズ７００の第２接点部７０１ａとの間の距離（光軸方向の距離）が変化する場合でも、好適な位置に第１接点部３０１を移動させることができる。接点ユニット３００の移動機構部に関しては、第１および第２実施例にて詳説する。マウント面２０１と第２接点部７０１ａとの光軸方向の距離が変化する例を３つの使用形態で説明する。
【００１４】
[第１の実施形態]
図２を参照して、本実施形態の構成を説明する。撮像装置１００にはマウントアダプタ８００または９００を介して交換レンズ７００が装着される。図２（Ａ）は撮像装置１００の本体部に、第１マウントアダプタ８００を介して交換レンズ７００が装着される使用形態を示す模式的な断面図である。図２（Ｂ）は撮像装置１００の本体部に、第２マウントアダプタ９００を介して交換レンズ７００が装着される使用形態を示す模式的な断面図である。以下、第１マウントアダプタ８００を第１ＭＡ８００と略記し、第２マウントアダプタ９００を第２ＭＡ９００と略記する。第１および第２マウントアダプタは、撮像装置１００および交換レンズ７００に対する電気的接続手段は備えていない。そのため、撮像装置１００および交換レンズ７００との間で通信を実行する際には、それぞれの第１接点部３０１と第２接点部７０１ａとが直接接触していることが必要である。
【００１５】
図２（Ａ）に示す第１ＭＡ８００は、光軸方向の幅が相対的に狭いマウントアダプタを例示し、撮像装置１００のマウント面２０１に取り付けられる。第１ＭＡ８００を介して交換レンズ７００が装着される。また、図２（Ｂ）に示す第２ＭＡ９００は、第１ＭＡ８００よりも光軸方向の幅が相対的に大きいマウントアダプタを例示し、撮像装置１００のマウント面２０１に取り付けられる。第２ＭＡ９００を介して交換レンズ７００が装着される。
【００１６】
このように光軸方向の幅（厚み）が異なるマウントアダプタを介して、同一マウント規格の交換レンズが装着される。この場合、図２（Ａ）の装着状態と図２（Ｂ）の装着状態では、マウント面２０１と第２接点部７０１ａとの間の距離に関し、光軸方向におけるマウントアダプタの幅の差に対応する差分が発生する。そこで、接点ユニット３００の移動機構部が設けられており、接点ユニット３００が移動することによって前記差分に対応可能である。つまり、接点ユニット３００は光軸方向に移動可能であり、撮像装置１００の本体部に取り付けられるマウントアダプタに応じて好適な位置をとる。したがって光軸方向の幅が異なる複数のマウントアダプタが取り付けられる場合でも、本体部の第１接点部３０１と交換レンズの第２接点部７０１ａとの接触が可能となり、撮像装置１００と交換レンズ７００との通信を実現できる。
【００１７】
[第２の実施形態]
図３を参照して、第２の実施形態に係る撮像装置を説明する。図３（Ａ）は、第１ＭＡ８００を介して交換レンズ７００が撮像装置１００の本体部に装着される使用形態を示す模式的な断面図である。図３（Ｂ）は、マウントアダプタを介さずに交換レンズ７００が撮像装置１００の本体部のマウント面２０１に直接装着される使用形態を示す模式的な断面図である。
【００１８】
図３（Ａ）の装着状態と図３（Ｂ）の装着状態では、マウント面２０１と第２接点部７０１ａとの間の距離に関し、光軸方向におけるマウントアダプタの幅に対応する差分が発生する。つまり、図３（Ｂ）の状態を基準とすると、図３（Ａ）の状態では、マウント面２０１と第２接点部７０１ａとの間の距離が、およそマウントアダプタ８００の光軸方向の幅に対応する。本実施形態でも接点ユニット３００の移動機構部が設けられており、接点ユニット３００が光軸方向に移動可能である。マウントアダプタの装着の有無に応じて接点ユニット３００は好適な位置をとることができる。したがって、マウントアダプタの装着状態と、非装着態との各状態において、本体部の第１接点部３０１と交換レンズの第２接点部７０１ａとの接触が可能となり、撮像装置１００と交換レンズ７００との通信を実現できる。
【００１９】
[第３の実施形態]
図４を参照して、第３の実施形態に係る撮像装置を説明する。本実施形態において、撮像装置１００のマウント面２０１には、第１の交換レンズ７００Ａと第２の交換レンズ７００Ｂが直接に装着されて使用される。図４（Ａ）は、マウント面２０１に第１の交換レンズ７００Ａが装着される使用形態を示す模式的な断面図である。図４（Ｂ）は、マウント面２０１に第２の交換レンズ７００Ｂが装着される使用形態を示す模式的な断面図である。
【００２０】
第１および第２の交換レンズは撮像装置１００に装着可能であるが、それぞれのレンズ接点端子ユニットの光軸方向の位置が異なる。第１の交換レンズ７００Ａは第１のレンズ接点端子ユニット７０１を備え、第２の交換レンズ７００Ｂは第２のレンズ接点端子ユニット７０２を備える。第１および第２の交換レンズがそれぞれ撮像装置１００に装着される場合、光軸方向において、レンズ接点端子ユニット７０１の第２接点部７０１ａの位置と、レンズ接点端子ユニット７０２の第２接点部７０２ａの位置とが異なる。図４の例では、第２接点部７０１ａよりも第２接点部７０２ａの方が後側（撮像素子１０１側）に位置しており、図４（Ａ）の装着状態と図４（Ｂ）の装着状態とでは、第２接続部の位置に差がある。本実施形態でも接点ユニット３００の移動機構部が設けられており、接点ユニット３００が光軸方向に移動可能である。つまり、接点ユニット３００は光軸方向に移動することで、交換レンズが有する第２接点部との形成位置に対応した好適な位置をとることができる。したがって、第２接点部の位置が異なる第１および第２の交換レンズのどちらが装着された場合でも、本体部の第１接点部３０１と交換レンズの第２接点部との接触が可能となり、撮像装置１００と交換レンズ７００の通信を実現できる。以上の各実施形態では、接点ユニット３００を光軸方向に移動可能に支持する移動機構部を設けることによって、多様な使用形態での撮影に対応可能な撮像装置を提供できる。
【００２１】
[第１実施例]
図５から図２３を参照して、第１の実施形態に係る第１実施例の具体的な構造について説明する。図５は撮像装置１００の外観斜視図であり、図６は撮像装置１００の外観正面図である。撮像装置１００の正面にはマウント部２００が配置され、交換レンズまたはマウントアダプタ（以下、装着対象という）が装着される。マウント部２００は正面にマウント面２０１が形成されており、マウント部２００は複数のマウント爪２０２を備える。本実施例では装着対象を保持するために、３つのマウント爪２０２が光軸回りに所定の角度間隔で設けられている。差し込み指標１０２は撮像装置１００の正面に形成され、ユーザは、装着対象を撮像装置本体部（以下、単に本体部という）へ装着する際の位相合わせに使用する。
【００２２】
マウント部２００の開口にて下寄りの位置には接点ユニット３００が配置され、第１接点部３０１を備える。第１接点部３０１は交換レンズの第２接点部と電気的に接続される。接点ユニット３００は接点移動機構部４００によって保持され、接点ユニット３００は光軸方向に移動可能である。
【００２３】
撮像素子１０１は、本体部に取り付けられた交換レンズから入射される光線を受光し、電気信号に変換する。表示部１０３は撮像装置１００の背面側に配置され、撮像画像や再生画像を表示する。表示部１０３は本体部に対して回動可能に取り付けられているので、ユーザが撮影状況に合わせて、表示部１０３の位置および姿勢を任意に変更できる。
【００２４】
把持部１０５は正面から見て左側面に配置され、把持部回動軸１０４を中心として本体部に対して回動可能に取り付けられている。ユーザは撮像装置１００を把持して、把持部１０５に配された各種操作部を操作する。
【００２５】
次に、接点ユニット３００および接点移動機構部４００について説明する。図７（Ａ）は接点ユニット３００を正面側から示す外観斜視図である。図７（Ｂ）は接点ユニット３００を背面側から示す外観斜視図である。図８は接点ユニット３００の内部構造を示す断面図である。接点ユニット３００の正面には、複数の第１接点部３０１が配置されている。接点ユニット３００は両側面に接点ガイド部３０２をそれぞれ備える。複数の接点ガイド部３０２は撮像装置１００の接点移動機構部４００に係合し、光軸方向以外への移動を規制する役目を果たす。接点ユニット３００の下部には位置操作部３０３が設けられる。位置操作部３０３は、撮像装置１００における接点ユニット３００をユーザが操作する部材である。
【００２６】
位置操作部３０３の上方には、複数の突出部３０４が前後方向に形成されている。これらの突出部３０４は撮像装置１００の本体部と係合し、接点ユニット３００の姿勢を固定させるための部材である。第１の突出部３０４ａは前方に突出し、第２の突出部３０４ｂは後方に突出している。突出部３０４ａおよび３０４ｂにより、接点ユニット３００が前方や後方に倒れることがなくなり、第１接点部３０１を確実に交換レンズの第２接点部と接触させることができる。
【００２７】
接点ユニット３００の正面および背面には、後述する第１ＭＡ８００および第２ＭＡ９００を撮像装置１００の本体部に対して位置決めするためのロックピンがそれぞれ配置されている。つまり、接点ユニット３００の正面部には前方ロックピン３０６が配置され（図７（Ａ））、背面部には後方ロックピン３０５が配置されている（図７（Ｂ））。後方ロックピン３０５は、後方ピンばね３０５ａによって後方に付勢されており、前方向に負荷が与えられたときに突出量がゼロとなり、接点ユニット３００から突出しない位置まで退避する。また前方ロックピン３０６は、前方ピンばね３０６ａによって前方に付勢されており、後方向に負荷が与えられたときに突出量がゼロとなり、接点ユニット３００から突出しない位置まで退避する。
【００２８】
接点ユニット３００の背面には、撮像装置１００内部の基板（不図示）に接続するための電気結線部材３０７が設けられている。電気結線部材３０７は、例えば、フレキシブル配線部材で構成され、接点ユニット３００の動作方向に沿うように屈曲部３０７ａを有する。つまり電気結線部材３０７の一部は、側方からみてＳ字状に屈曲された部分を有し、撮像装置１００内を引き廻される。この構成により、接点ユニット３００が光軸方向に沿って移動する場合でも電気結線部材３０７に過剰な負荷が加わることはない。
【００２９】
次に、接点ユニット３００の接点移動機構部４００について説明する。図９（Ａ）は接点ユニット３００の位置が第１の位置（以下、後方位置という）である状態での接点移動機構部４００を示す斜視図である。図９（Ｂ）は接点ユニット３００の位置が第２の位置（以下、前方位置という）である状態での接点移動機構部４００を示す斜視図である。以下では、接点ユニット３００が後方位置にある状態を「後退状態」といい、接点ユニット３００が前方位置にある状態を「前進状態」という。本実施例では、後方位置は接点ユニット３００に移動範囲における第１の端位置であり、前方位置は接点ユニット３００に移動範囲における第２の端位置である。
【００３０】
接点移動機構部４００はガイドレール４０１、板ばね４０２、後述する被係合部４０３を備える。複数のガイドレール４０１は、接点ユニット３００に形成された複数の接点ガイド部３０２とそれぞれ係合する部材であり、接点ユニット３００が光軸方向以外へ移動することを規制する。板ばね４０２は、接点ユニット３００の位置を前方位置および後方位置にて固定するために、それぞれの位置に付勢する機能を持つ。板ばね４０２は、接点ユニット３００が第１または第２の位置から変位した際に、第１または第２の位置に引き付ける付勢力を付与する弾性支持体の一例である。図９（Ａ）には、ガイドレール４０１および板ばね４０２の一方を図示するが、これらの部材は光軸に対して線対称に一対で配置されている。
【００３１】
図１０（Ａ）は接点移動機構部４００の外観を示す正面図であり、図１０（Ｂ）は接点移動機構部４００の外観を示す右側面図である。図１１は、図１０（Ａ）の断面指示線ｂ−ｂに沿う断面図である。図１１（Ａ）は接点ユニット３００の後退状態における、接点移動機構部４００を示す断面図である。図１１（Ｂ）は接点ユニット３００の前進状態における、接点移動機構部４００を示す断面図である。図１２は、図１０（Ｂ）の断面指示線ｄ−ｄに沿う断面図であり、接点移動機構部４００の構造を示す。図１３（Ａ）は接点ユニット３００の後退状態を示す撮像装置１００の下面図である。図１３（Ｂ）は接点ユニット３００の前進状態を示す撮像装置１００の下面図である。
【００３２】
接点ユニット３００の位置操作部３０３は、撮像装置１００の本体部の下部から露出している（図１３）。図１１（Ａ）に示すように、接点ユニット３００の後退状態において、ユーザが位置操作部３０３に対して前方に力を加えると、接点ユニット３００全体が前方にスライドする。これとは逆に、図１１（Ｂ）に示すように接点ユニット３００の前進状態において、ユーザが位置操作部３０３に対して後方に力を加えることで、接点ユニット３００全体が後方にスライドする。接点ユニット３００の第１および第２の突出部３０４はそれぞれ前後方向に突出しており、接点ユニット３００のスライド位置に応じて、本体部に形成された複数の被係合部４０３にそれぞれ収納される。複数の被係合部４０３は、前後方向にて突出部３０４の形状に対応する凹んだ形状部である。前方突出部３０４ａが前方被係合部４０３ａに係合し、後方突出部３０４ｂが後方被係合部４０３ｂに係合することにより、接点ユニット３００の移動時に、撮像装置１００に対する姿勢を安定させることができる。
【００３３】
図１２に示すように、複数のガイドレール４０１には、接点ユニット３００の複数の接点ガイド部３０２がそれぞれ嵌合することで、接点ユニット３００の移動方向が規制される。図１３に示す操作開口部１０６は、本体部の下面部に形成された穴部であり、ここから位置操作部３０３が下方に露出している。操作開口部１０６は、光軸方向の幅が位置操作部３０３の移動範囲を超える幅で形成されている。このため、接点ユニット３００がその移動範囲の端部に位置する前進状態および後退状態でも、位置操作部３０３が光軸方向と直交する面において操作開口部１０６と当接することはない。また図１１に示すように、接点ユニット３００がその移動範囲の端部にある状態でも、突出部３０４は被係合部４０３に対して前後方向の両位置で嵌合するように長さが設定されている。その結果、図１３に示すように、操作開口部１０６からは位置操作部３０３および突出部３０４の一部が外部に露出している。撮像装置１００の内部構造が外部から見えないように遮蔽された構成である。
【００３４】
図１４は図１０（Ａ）の断面指示線ｃ―ｃに沿う断面図である。図１４（Ａ）は、接点ユニット３００の後退状態における、接点移動機構部４００を示す断面図である。図１４（Ｂ）は、接点ユニット３００の前進状態における、接点移動機構部４００を示す断面図である。接点ユニット３００の後退状態では、接点ユニット３００は後方当接面４０４に当接する。板ばね４０２は後方傾斜部４０２ａをそれぞれ有しており、後退状態では、後方傾斜部４０２ａによって、接点ユニット３００を後方に付勢する力が働いている。
【００３５】
図１４には不図示の位置操作部３０３をユーザが操作して前方への操作力が働いた場合、接点ユニット３００が後方位置から前方位置に移動する際には、板ばね４０２に負荷がかかる。板ばね４０２は、例えばステンレス鋼などの金属製の薄板を曲げ加工した部材であり、一定の負荷により変形する。ユーザの操作力が所定値（閾値）を超えると、後方傾斜部４０２ａが十分に変形し、接点ユニット３００は後方傾斜部４０２ａからの後方への付勢力を受けなくなり、接点ユニット３００は前方位置までスライドして前方当接面４０５に当接する（前進状態）。
【００３６】
板ばね４０２は前方傾斜部４０２ｂを有しており、接点ユニット３００の前進状態では、前方傾斜部４０２ｂによって、接点ユニット３００を前方に付勢する力が働いている。位置操作部３０３をユーザが操作して前方への操作力が働いた場合、接点ユニット３００が前方位置から後方位置へ移動する際には、ユーザの操作力が所定値を超えると、前方傾斜部４０２ｂが十分に変形する。このため、接点ユニット３００は前方傾斜部４０２ａからの前方への付勢力を受けなくなり、接点ユニット３００は後方位置までスライドして後方当接面４０４に当接する（後退状態）。
【００３７】
本実施例では、ユーザによる手動操作に応じた接点ユニット３００の移動機構部を例示するが、接点ユニット３００の移動をアクチュエータによって実現する形態でもよい。この場合、ユーザが撮像装置１００に備えられた操作部材を操作したときの信号をトリガー信号として本体部内の制御部はアクチュエータの駆動制御を行い、接点ユニット３００を所定位置へ移動させる。
【００３８】
続いて、撮像装置１００に装着されるマウントアダプタと、該マウントアダプタを固定する撮像装置１００の構造について説明する。以下では、接点ユニット３００の後退状態においてマウント部に固定されるマウントアダプタを第１ＭＡ８００とする。また接点ユニット３００の前進状態においてマウント部に固定されるマウントアダプタを第２ＭＡ９００とする。
【００３９】
図１５（Ａ）は第１ＭＡ８００を正面側から見た場合の外観斜視図である。図１５（Ｂ）は第１ＭＡ８００を背面側から見た場合の外観斜視図である。第１ＭＡ８００は、正面部にレンズ取付部８０１を備え、交換レンズの取り付けが可能である。レンズ取付部８０１は複数のレンズ取付爪８０１ａを備え、交換レンズに形成された複数の取付爪とそれぞれ嵌合される。レンズ取付部８０１の前面に設けられたロックピン８０１ｂは、第１ＭＡ８００に装着される交換レンズの装着位相を決定するための部材である。ロックピン８０１ｂの突出量は、レンズリリースノブ８０１ｃの操作に応じて調整可能である。レンズ取付爪８０１ａ、ロックピン８０１ｂ、レンズリリースノブ８０１ｃの構造は公知であるため、これらの詳細な説明を省略する。
【００４０】
第１ＭＡ８００は内部にコンバージョンレンズ８０２を備える。例えば縮小光学系を構成するコンバージョンレンズ８０２の場合、第１ＭＡ８００に装着される交換レンズからの入射光線を集光して撮像素子１０１の中央部に像を形成する。コンバージョンレンズ８０２の集光効果により、Ｆ値を下げる効果が得られる。また拡大光学系を構成するコンバージョンレンズ８０２の場合、第１ＭＡ８００に装着される交換レンズからの入射光線に対する拡散効果により、撮像素子１０１には焦点距離が延長された拡大像が得られる。
【００４１】
アダプタ筒８０３は、コンバージョンレンズ８０２を保持する部材であり、マウントロック溝８０４およびロックピンガイド８０５を備える。アダプタ筒８０３には第１ＭＡ８００の装着時に撮像装置１００の接点ユニット３００と干渉しないための切り欠き部８０３ａが設けられている。ロックピンガイド８０５の機能については図１７以降にて説明する。
【００４２】
第１ＭＡ８００はその背面にマウント爪８０６およびマウント面８０７を有する。マウント面８０７は本体部のマウント面２０１に当接し、複数のマウント爪８０６は、装着時に撮像装置１００の複数のマウント爪２０２とそれぞれ係合する。また第１ＭＡ８００はその側面に、撮像装置１００の差し込み指標１０２と対応して、当該指標に合わせるための差し込み指標８０８を有する。
【００４３】
ユーザが第１ＭＡ８００を撮像装置１００に装着する場合、以下のように操作が行われる。第１ＭＡ８００は後方位置にある接点ユニット３００によって固定されるため、ユーザはまず、撮像装置１００にて接点ユニット３００が後方位置にあることを確認する。接点ユニット３００の位置が後方位置でない場合にユーザは位置操作部３０３の操作により、接点ユニット３００を後方位置まで移動させる。そしてユーザはマウント面２０１とマウント面８０７を対向させた状態とし、差し込み指標１０２と差し込み指標８０８とを相互に合わせる。なお、この操作の際に第１ＭＡ８００と接点ユニット３００が接触しないよう、切り欠き部８０３ａが形成されている。この状態において、撮像装置１００のマウント爪２０２と第１ＭＡ８００のマウント爪８０６は、互いに相補的な位置関係になるように設定されている。したがって、第１ＭＡ８００の後端部をマウント部２００の開口に差し込む操作が行われた場合、第１ＭＡ８００のマウント爪８０６は、撮像装置１００のマウント爪２０２の間を通過して、マウント面２０１の後方まで入り込む。図１６（Ａ）は、第１ＭＡ８００の装着時に第１ＭＡ８００のマウント面８０７と撮像装置１００のマウント面２０１が当接した状態を示す斜視図である。
【００４４】
続いてユーザは、光軸を中心として、正面から見て第１ＭＡ８００を時計回り方向に回転させる。これにより、第１ＭＡ８００のマウント爪８０６が撮像装置１００のマウント爪２０２の後方側に入り込み、爪同士が係合する。マウント爪２０２および８０６の少なくとも一方には僅かなテーパが形成されているので、第１ＭＡ８００の回転に伴ってマウント面８０７が光軸方向にて後方に引き込まれ、最終的にマウント面同士が密接する。図１６（Ｂ）は、撮像装置１００に対して第１ＭＡ８００の装着が完了した状態を示す斜視図である。この状態において、接点ユニット３００の後方ロックピン３０５はマウントロック溝８０４に嵌合しているので、第１ＭＡ８００は回転方向に移動できなくなる。
【００４５】
図１７から図２０を参照して、第１ＭＡ８００の回転動作における、マウントロック溝８０４とロックピンガイド８０５に対する後方ロックピン３０５の動作について説明する。図１７は、第１ＭＡ８００におけるマウントロック溝８０４およびロックピンガイド８０５の構造を示す詳細図である。マウントロック溝８０４に近接する位置には、光軸回り方向に沿って円弧形状のロックピンガイド８０５が形成されている。ロックピンガイド８０５はガイド平面部８０５ａとガイド斜面部８０５ｂにより形成され、ガイド斜面部８０５ｂの方がマウントロック溝８０４に近い位置にある。
【００４６】
図１８は、第１ＭＡ８００の回転動作に伴う後方ロックピン３０５と、マウントロック溝８０４およびロックピンガイド８０５との位置関係を示す要部の正面図である。図１８（Ａ）から（Ｄ）へ、後方ロックピン３０５と、マウントロック溝８０４およびロックピンガイド８０５とが相対的に移動する様子を示している。図１９（Ａ）から（Ｄ）は、図１８（Ａ）から（Ｄ）にそれぞれ示す断面指示線ａ−ａ、ｂ−ｂ、ｃ−ｃ、ｄ−ｄに沿う断面図である。図２０（Ａ）から（Ｄ）は、図１８（Ａ）から（Ｄ）に示す各状態における要部の縦断面図である。各状態は以下のとおりである。
【００４７】
・図１８（Ａ）、図１９（Ａ）、図２０（Ａ）に示す第１の状態では、後方ロックピン３０５がガイド平面部８０５ａに位置している。
・図１８（Ｂ）、図１９（Ｂ）、図２０（Ｂ）に示す第２の状態では、後方ロックピン３０５がガイド斜面部８０５ｂに位置している。
・図１８（Ｃ）、図１９（Ｃ）、図２０（Ｃ）に示す第３の状態では、後方ロックピン３０５がガイド斜面部８０５ｂとマウントロック溝８０４との間に位置している。
・図１８（Ｄ）、図１９（Ｄ）、図２０（Ｄ）に示す第４の状態では、後方ロックピン３０５がマウントロック溝８０４と係合している。
【００４８】
第１の状態は、後方ロックピン３０５がガイド平面部８０５ａに位置し、後方ピンばね３０５ａによって後方に付勢されている状態である。この状態から第１ＭＡ８００がさらに回転すると第２の状態となる。後方ロックピン３０５はガイド斜面部８０５ｂに位置し、ガイド斜面部８０５ｂから負荷を受けて前方向に移動する。つまり、ガイド斜面部８０５ｂの斜面に追従して後方ロックピン３０５が前進する。
【００４９】
第２の状態から第１ＭＡ８００がさらに回転すると第３の状態となり、後方ロックピン３０５はガイド斜面部８０５ｂとマウントロック溝８０４との間に位置する。第３の状態では後方ロックピン３０５が最も前方向に移動する。そして第４の状態では、後方ロックピン３０５に対するアダプタ筒８０３からの負荷がかからなくなり、後方ロックピン３０５は後方ピンばね３０５ａの付勢力によりマウントロック溝８０４に入り込む。マウントロック溝８０４の幅（円周方向と直交する方向の幅）は、後方ロックピン３０５の径と同一であるか、または両者の差が予め定められた範囲内に設定されている。第４の状態において、後方ロックピン３０５とマウントロック溝８０４との係合により、第１ＭＡ８００は撮像装置１００に対する光軸回り方向への回転を規制される。よって、前述したマウント爪２０２とマウント爪８０６との係合による光軸方向への移動規制と併せて、第１ＭＡ８００は撮像装置１００に対して固定された状態となる。
【００５０】
一方、第１ＭＡ８００を本体部から取り外す場合にユーザは、接点ユニット３００の位置操作部３０３を操作することで接点ユニット３００を前方位置まで移動させる。後方ロックピン３０５は、接点ユニット３００からの突出量が、接点ユニット３００の移動量よりも小さいため、後方ロックピン３０５とマウントロック溝８０４と嵌合が外れて固定状態が解除される。第１ＭＡ８００は光軸を中心として、反時計回り方向に回転可能な状態となるので、ユーザは、既述の一連の操作を逆の手順で行えば、本体部から第１ＭＡ８００を取り外すことができる。
【００５１】
図２１を参照して、第２ＭＡ９００を説明する。図２１（Ａ）は第２ＭＡ９００を正面側から見た場合の外観斜視図である。図２１（Ｂ）は第２ＭＡ９００の背面側から見た場合の外観斜視図である。第２ＭＡ９００は、その正面部にレンズ取付部９０１を備える。複数のレンズ取付爪９０１ａと、前面部に形成されたロックピン９０１ｂと、レンズリリースノブ９０１ｃが設けられている。第２ＭＡ９００の内部はアダプタ筒９０３で構成され、その背面部には複数のマウント爪９０６、およびマウント面９０７が形成されている。マウント面９０７は本体部のマウント面２０１に当接し、複数のマウント爪９０６は、装着時に撮像装置１００の複数のマウント爪２０２とそれぞれ係合する。
【００５２】
アダプタ筒９０３には、本体部への第２ＭＡ９００の装着時に、接点ユニット３００と干渉しないための切り欠き部９０３ａが設けられている。マウントロック溝９０４は第１ＭＡ８００と異なり、アダプタ筒９０３の背面部に配置される。第２ＭＡ９００の側面部には、差し込み指標９０８がある。
【００５３】
第２ＭＡ９００を撮像装置１００に装着する動作について説明する。なお、第１ＭＡ８００の装着動作の場合と重複する事項については適宜省略する。まずユーザは、撮像装置１００において、接点ユニット３００が前方位置にあることを確認する。接点ユニット３００が前方位置にない場合にユーザは位置操作部３０３を操作することで、接点ユニット３００を前方位置まで移動させる。この状態においてユーザは、差し込み指標１０２と差し込み指標９０８を合わせながら、マウント面２０１とマウント面９０７とを当接させる。図２２（Ａ１）、（Ａ２）は、本体部への第２ＭＡ９００の装着動作において、マウント面同士を当接させた状態を示す図である。図２２（Ａ１）は正面側から見た場合の外観斜視図である。図２２（Ａ２）は、図２２（Ａ１）における前方ロックピン３０６の状態を示す要部の縦断面図である。前方ロックピン３０６はマウント面９０７によって後方向に押されるので、前方ピンばね３０６ａは縮んだ状態となり、前方ロックピン３０６の前端部はマウント面９０７に当接した状態となる。
【００５４】
続いてユーザは、第２ＭＡ９００を、光軸を中心として正面から見て時計回り方向に回転させると、これに伴って第２ＭＡ９００のマウント爪９０６と撮像装置１００のマウント爪２０２とが係合していく。第２ＭＡ９００の回転操作によってその回転量が所定の回転量に到達すると、前方ロックピン３０６とマウントロック溝９０４は、回転方向（円周方向）において同一位置となる。その状態を図２２（Ｂ１）、（Ｂ２）に示す。図２２（Ｂ１）は正面側から見た場合の外観斜視図である。図２２（Ｂ２）は、図２２（Ｂ１）における前方ロックピン３０６の状態を示す要部の縦断面図である。この状態では前方ロックピン３０６に対する後方への負荷はかからなくなり、前方ロックピン３０６はマウントロック溝９０４に嵌合して突出する。よって第２ＭＡ９００は回転方向への移動が規制され、撮像装置１００に対して固定された状態となる。
【００５５】
一方、第２ＭＡ９００を本体部から取り外す場合にユーザは、接点ユニット３００の位置操作部３０３を操作し、接点ユニット３００を後方位置まで移動させる。前方ロックピン３０６は、接点ユニット３００からの突出量が、接点ユニット３００の移動量よりも小さいめ、前方ロックピン３０６とマウントロック溝９０４との嵌合が外れる。第２ＭＡ９００は光軸を中心として、正面から見て反時計回り方向に回転可能な状態となるので、ユーザは、既述の一連の操作を逆の手順で行えば、本体部から第２ＭＡ９００を取り外すことができる。
【００５６】
以上の事項を踏まえ、図２３を参照して、本体部に第１ＭＡ８００が装着された状態から、本体部に第２ＭＡ９００を装着する手順およびその逆の手順について説明する。図２３（Ａ）から（Ｆ）は、マウントアダプタの取り換え時における接点ユニット３００およびマウントアダプタの状態変化を示す断面図である。
【００５７】
ユーザは、図２３（Ａ）に示す接点ユニット３００の後退状態にて、前述した操作により第１ＭＡ８００を装着することが可能である（図２３（Ｂ））。この状態から第１ＭＡ８００を取り外す際にユーザは、まず接点ユニット３００を前方位置に移動させる操作を行う（図２３（Ｃ））。接点ユニット３００の前進状態にて、正面から見て第１ＭＡ８００を反時計回り方向に回転させる操作により、本体部から第１ＭＡ８００が取り外される（図２３（Ｄ））。この状態において、接点ユニット３００の位置は既に前方位置であるため、ユーザは第２ＭＡ９００の装着操作を行うことが可能である。ユーザは第２ＭＡ９００を装着し（図２３（Ｅ））、正面から見て第２ＭＡ９００を時計回り方向に回転させる。第２ＭＡ９００を本体部から取り外す場合には、ユーザは接点ユニット３００を後方位置まで移動させる（図２３（Ｆ））。接点ユニット３００の後退状態で、ユーザは第２ＭＡ９００を反時計回り方向に回転させて撮像装置１００から取り外すと、図２３（Ａ）の状態に戻り、第１ＭＡ８００の装着が可能な状態となる。
【００５８】
本実施例では、撮像装置の本体部と交換レンズとの電気的接続のための接点ユニットの移動操作と、マウントアダプタの回転方向のロック動作および解除動作とが同期して行われることで、マウントアダプタの取り換え動作が簡便となる。よってユーザは迅速に取り換えが可能である。
【００５９】
[変形例]
図２４を参照して、第１実施例に係る変形例を説明する。図２４は、図１４と同じ部位の概略断面図である。変形例では板ばね４０２の形状が第１実施例と相違する。板ばね４０２は後方傾斜部４０２ａおよび前方傾斜部４０２ｂと、さらに中央窪み部４０２ｃを備える。中央窪み部４０２ｃは、光軸方向にて後方傾斜部４０２ａと前方傾斜部４０２ｂとの間に位置する。変形例では中央窪み部４０２ｃを備えることで、接点ユニット３００を、後方位置および前方位置に加え、第３の位置（中間位置）に位置決めすることができる。接点ユニット３００が第３の位置で固定可能となるので、接点ユニット３００の第１接点部３０１が第３の位置において第２接続部と接触する装着対象と電気的に接続することが可能となる。つまり、第１から第３の位置にそれぞれ対応する、３種類の異なる装着対象への拡張が可能である。さらに、後方傾斜部４０２ａと前方傾斜部４０２ｂとの間に複数の窪み部を設けることで、４種類以上の装着対象の取り付けに対応し得る使用形態を実現できる。したがって、移動機構部によって撮像光学系の光軸方向に移動可能な接点ユニットの接点部の位置は、以下のいずれかである。
【００６０】
（１）  マウントアダプタを介して本体部に装着される複数の交換レンズの接点部に対して、接点ユニットの接点部がそれぞれ接触する複数の位置
（２）  マウントアダプタを介さずに本体部のマウント部に装着される複数の交換レンズの接点部に対して、接点ユニットの接点部がそれぞれ接触する複数の位置
（３）  （１）および（２）に示す位置を含む複数の位置。
【００６１】
各実施形態に開示されている複数の構成要素の適宜な組み合わせにより、本発明を各種形態で実現できる。また、各実施形態に示される構成要素の幾つかを削除してもよい。例えば、接点ユニット３００は突出部３０４を備えず、接点ガイド部３０２のみで接点ユニット３００の姿勢を安定させる構造でもよい。
【００６２】
［第２実施例］
次に、本発明の第２実施例を説明する。本実施例において第１実施例の場合と同様の構成要素については既に使用した符号を流用することにより、それらの詳細な説明を省略し、主に相違点を説明する。
【００６３】
図２５は撮像装置１００の外観斜視図である。撮像装置１００は、その正面にマウント部２００を備える。マウント部２００はマウント面２１０と、光軸を中心とする円周方向（ラジアル方向）に回動可能な複数のマウント爪２３０を有する。マウント爪２３０はマウント操作部２０５と一体的に回転する。マウント面２１０には、前方に突出した形状の本体側ロックピン２１８が設けられている。本体側ロックピン２１８は、装着対象に形成された凹部と係合することにより、装着対象のラジアル方向の位置を規定する部材である。マウント操作部２０５には操作ノブ２０６ａおよび２０６ｂが光軸を挟んで反対側に配置されている。ユーザが操作ノブ２０６ａ，２０６ｂを摘んでマウント操作部２０５の回転操作を行うことで、マウント爪２３０がラジアル方向に回転する。
【００６４】
接点ユニット３００は、マウント部２００の開口にて下寄りに配置され、第１接点部３０１を備える。接点ユニット３００は移動機構部により、光軸方向に移動可能である。図２５に示す状態にて第１接点部３０１は、後方から前方に向けてバネで付勢されており、マウント面２１０より前方向に突出した状態となっている。
【００６５】
図２６を参照して、マウント部２００と接点ユニット３００の構成について説明する。図２６は、マウント部２００に関わる分解斜視図である。マウント面２１０を有する部材２１３は、上下に延出した取り付け部２１１にて、撮像装置１００にビス２１５で締結固定される。マウント面２１０は円環状に形成され、開口部の内周面には内ねじ２１２が形成されている。マウント面２１０を有する部材２１３の後方には、略リング形状の回転部材２２０が配置されている。回転部材２２０は複数のマウント爪２３０を備える。回転部材２２０の外周部には外ねじ２２１が形成されており、マウント面２１０の開口部の内周面に形成された内ねじ２１２と螺合する。これにより回転部材２２０は、その回転に伴い、光軸方向に沿って直線移動が可能である。本実施例では、回転部材２２０を正面から見て反時計回り方向に回転させることで、回転部材２２０が後方に移動するようになっている。また回転部材２２０には、外周方向に延出する複数の取付部２２２が設けられている。取付部２２２は、マウント面２１０を有する部材２１３の外周部を挟んで、ビス２０７にてマウント操作部２０５と一体的に固定される。つまり、マウント操作部２０５が、例えば正面から見て反時計回り方向に回転されると、回転部材２２０に設けられたマウント爪２３０は、反時計回り方向に回転しつつ後方に移動する。
【００６６】
マウント部２００の開口にて下寄りの位置には、第１接点部３０１を有する接点ユニット３００が配置されている。接点ユニット３００は、本体部に固定された２本のシャフト３４０に嵌合した状態で移動可能に支持される。シャフト３４０は光軸方向に沿って延在し、接点ユニット３００はシャフト３４０に沿って滑らかに移動することができる。また接点ユニット３００は、後方から複数のコイルバネ３３０によって付勢される。コイルバネ３３０は接点ユニット３００を光軸方向の被写体側に付勢する弾性部材の一例である。図２６の状態では、接点ユニット３００の備えるストッパ３１３が、マウント面２１０を有する部材２１３の裏面（背面）に当接して静止している。接点ユニット３００は、複数のコイルバネ３３０によって付勢されているので、無負荷状態では第１接点部３０１がマウント面２１０より突出している。接点ユニット３００が前方から押し込まれると、光軸方向にてマウント面２１０よりも後方に移動する。接点ユニット３００が最も押し込まれた状態にて、第１接点部３０１は装着対象との接触に適した位置となる。装着対象がマウント面２１０に押し当てられた状態で、第１接点部３０１は確実に装着対象の第２接点部と接触する。また、第１接点部３０１に対して前方から不測の外力が加わった場合、接点ユニット３００はマウント面２１０よりも後方に退避するので、損壊の懸念がない。
【００６７】
図２７は、一体化されたマウント操作部２０５と回転部材２２０を示す外観斜視図である。なお、マウント操作部２０５と回転部材２２０との間に挟まれる、マウント面２１０を有する部材２１３は図示していない。回転部材２２０はマウント操作部２０５と一体的に構成されている。回転部材２２０の内側に設けたマウント爪２３０は、例えば後述する第１ＭＡ８００に設けられたマウント爪８２０（図２９（Ｂ）参照）と、一般的なバヨネット係合をする。撮像装置１００には、マウント爪８２０と同一の平面において接点ユニット３００の近傍に接点端子係合部２５０が設けられている。接点端子係合部２５０は回転部材２２０に設けられているので、マウント操作部２０５の動作に連動して移動する。
【００６８】
図２８は接点ユニット３００の外観斜視図である。接点ユニット３００には電気結線部材３０７が接続される。電気結線部材３０７は、その一端部が第１接点部３０１と電気的に接続され、他端部は撮像装置１００内部の基板（不図示）と電気的に接続される。第１接点部３０１は、レンズ接点端子群３０１０およびアダプタ接点端子群３０１１を具備する。レンズ接点端子群３０１０は、交換レンズの接点部と接続される接点群である。またアダプタ接点端子群３０１１は、マウントアダプタの接点部と接続される接点群である。これらの接点群は電気結線部材３０７と電気的に接続されている。撮像装置１００の本体部に交換レンズが装着された場合、レンズ接点端子群３０１０を介して両者が電気的に接続されて、撮像装置１００から交換レンズへの電力の供給や、双方向通信が可能となる。また、撮像装置１００と後述するリアコンバータとが、アダプタ接点端子群３０１１を介して電気的に接続された場合、撮像装置１００からリアコンバータへの電力の供給や、撮像装置１００とリアコンバータとの通信が可能となる。このような機能を持つ接点ユニット３００の側面部には、前側係合溝３１０と後側係合溝３１１が形成されている。前側係合溝３１０の入り口には斜面部３５０が形成され、後側係合溝３１１の入り口には斜面部３５１が形成されている。
【００６９】
次に、マウントアダプタと、それを固定する撮像装置１００の構造について説明する。以下では、接点ユニット３００が後方位置にある状態で本体部に装着される第１ＭＡ８００と、接点ユニット３００が前方位置にある状態で本体部に装着される第２ＭＡ９００を説明する。
【００７０】
図２９（Ａ）は第１ＭＡ８００を正面側から示す外観斜視図であり、図２９（Ｂ）は第１ＭＡ８００を背面側から示す外観斜視図である。第１ＭＡ８００は、その正面部に、交換レンズを取り付けるためのレンズ取付部８１０を備える。レンズ取付部８１０は複数のレンズ取付爪８１１を備え、各レンズ取付爪８１１は交換レンズの取付爪とそれぞれ係合する。ロックピン８１２は、第１ＭＡ８００に装着された交換レンズの装着位相を決定するための可動部材である。ロックピン８１２の突出量は、レンズリリースノブ８１３の操作によって調整される。
【００７１】
第１ＭＡ８００は内部にコンバージョンレンズ８０２を備える。縮小光学系を構成するコンバージョンレンズ８０２の集光作用により、Ｆ値を下げる効果が得られる。または拡大光学系を構成するコンバージョンレンズ８０２の拡散作用により、撮像素子１０１には焦点距離が延長された拡大像が得られる。コンバージョンレンズ８０２は、複数のレンズ群で構成され、アダプタ筒８０３によって保持される。
【００７２】
コンバージョンレンズ８０２は、上下左右に揺動可能な像ぶれ補正レンズ（シフトレンズ）を備える。アダプタ筒８０３は像ぶれ補正レンズの駆動機構部を有し、ユーザの手振れ等による像ぶれを打ち消す方向に像ぶれ補正レンズが駆動される。光学式像ぶれ補正については公知であるため、その詳細な説明は省略する。マウントアダプタの内部にレンズ駆動機構部を設けることで撮像装置１００の用途を広げることができる。例えば可動レンズを光軸方向に移動させる制御により、交換レンズ７００のオートフォーカスをアシスト可能となる。
【００７３】
アダプタ筒８０３の下側には、コンバージョンレンズ８０２の光軸方向に貫通した開口部８３０が形成されている。開口部８３０の一端にはフランジ８０５が設けられている。フランジ８０５の背面にはアダプタ接点８０６が露出しており、内部の可動レンズの駆動機構部を動作させるための電気接点として機能する。つまりアダプタ接点８０６は、本体部の第１接点部３０１を構成するアダプタ接点端子群３０１１と当接することで、本体部内の制御基板と電気的に接続される。これにより、第１ＭＡ８００内部の可動レンズの駆動制御が行われ、手振れ等による像ぶれの補正制御が可能となる。第１ＭＡ８００の背面には、本体部のマウント爪２３０と係合する複数のマウント爪８２０、および、装着時に本体部のマウント面２１０と当接するマウント面８０７がある。
【００７４】
図３０を参照して、第１ＭＡ８００を撮像装置１００の本体部に装着するときの操作について説明する。図３０（Ａ）は、本体部に何も装着されていない状態を示す斜視図である。この状態では接点ユニット３００が前方位置（第２の位置）で静止しており、接点ユニット３００を前方から押し込むと後方に退避する。
【００７５】
図３０（Ｂ）は、第１ＭＡ８００を本体部へ装着する直前の状態を示す斜視図である。ユーザは本体部に対して、第１ＭＡ８００を光軸方向に沿って真っ直ぐに近付け、本体部のマウント面２１０と第１ＭＡ８００のマウント面８０７とを当接させる。この状態において、本体部のマウント爪２３０と第１ＭＡ８００のマウント爪８２０とは、互いに相補的な位置関係になるように設定されている。したがって、第１ＭＡ８００の後端部がマウント部２００の開口部に差し込まれた場合、第１ＭＡ８００のマウント爪８２０は、本体部のマウント爪２３０の間を通過して、マウント面２１０の後方まで入り込む。このとき、第１ＭＡ８００のフランジ８０５のアダプタ接点８０６と、接点ユニット３００のアダプタ接点端子群３０１１とが当接し、接点ユニット３００が後方に押し込まれて後方位置（第１の位置）まで退避する。その状態を図３０（Ｃ）に示す。第１ＭＡ８００は本体部に押しつけられた状態となっている。
【００７６】
本実施例では、第１ＭＡ８００にアダプタ接点８０６を設けた構成であるが、コンバージョンレンズ８０２が固定レンズ群を備える場合には、フランジ８０５の背面のアダプタ接点８０６は不要である。この場合には、フランジ８０５によって接点ユニット３００を直接押し込む動作が行われる。
【００７７】
次にユーザは、マウント操作部２０５を正面から見て反時計回り方向に回転させる操作を行う（図３０（Ｃ）の矢印参照）。マウント操作部２０５が反時計回り方向に回転すると、第１ＭＡ８００のマウント爪８２０が本体部のマウント爪２３０の後方側に入り込むので、第１ＭＡ８００の前方向への移動が規制される。この状態を図３０（Ｄ）に示す。図３０（Ｄ）は、撮像装置１００の本体部に対して第１ＭＡ８００の装着が完了した状態を示す斜視図である。本体部のロックピン２１８は第１ＭＡ８００の背面に設けられたマウントロック溝８０４（図２９）に嵌合し、第１ＭＡ８００の回転が規制された状態となる。さらに、マウント操作部２０５は回転に伴い、光軸方向にて後方へ僅かに移動する。それに伴い、回転部材２２０のマウント爪２３０も、回転による係合動作に伴って、光軸方向の後方へ僅かに移動する。この動作は、第１ＭＡ８００のマウント爪８２０の前面を後方に引き込む動作となり、マウント操作部２０５の回転と共にマウント面８０７が光軸方向に引き込まれて、最終的に両マウント面が密接した状態となる。
【００７８】
接点ユニット３００自体は、コイルバネ３３０によって前方に付勢されているが、接点ユニット３００に配したそれぞれの第１接点部３０１は、後方から不図示のバネによって付勢されている。つまり第１接点部３０１とアダプタ接点８０６との導通を保証するために、第１接点部３０１はアダプタ接点８０６に対して強く押しつけられる必要がある。接点同士の確実な導通を行うためには、接点ユニット３００の付勢力に比べて、それぞれの第１接点部３０１の付勢力を十分に小さくする必要がある。その場合、第１接点部３０１とアダプタ接点８０６との接触抵抗を低減させ、かつ第１接点部３０１の付勢力を大きくするためには、コイルバネ３３０による接点ユニット３００の付勢力をさらに大きくする必要がある。しかし、これでは機器の大型化を招き、第１ＭＡ８００等の装着時の操作性が著しく低下する可能性がある。
【００７９】
そこで本実施例では、マウント操作部２０５による装着動作が行われたときに、図２８に示す接点ユニット３００の前側係合溝３１０に、図２７に示す接点端子係合部２５０が挿入される。接点ユニット３００が僅かに前方に押し出されるので、アダプタ接点端子群３０１１とアダプタ接点８０６との間の十分な接触抵抗が確保される。図３１を参照して、接点ユニット３００の前側係合溝３１０による押し出し機構について説明する。
【００８０】
図３１は、マウント操作部２０５と接点ユニット３００の位置関係を表す要部の正面図である。図３１（Ａ）は、第１ＭＡ８００が本体部に押しつけられた状態を示し、図３１（Ｂ）は、第１ＭＡ８００が本体部に装着された状態を示している。接点端子係合部２５０は、第１ＭＡ８００が取り付けられる前の状態で接点ユニット３００から離間している。ユーザがマウント操作部２０５を、正面から見て反時計回り方向に約４５°回転させた状態では、接点端子係合部２５０は接点ユニット３００と投影上重なり、見えない状態となっている。このときの接点端子係合部２５０は、図２８に示す前側係合溝３１０または後側係合溝３１１に挿入されている。ここで、接点端子係合部２５０が、前側係合溝３１０と後側係合溝３１１のうちの、どちらの係合溝と係合するかについては、装着されるマウントアダプタの種類に依る。具体的には、係合溝はマウントアダプタの種類に応じた第１接点部３０１の押し込み量にしたがって選択される。
【００８１】
図３２は、接点ユニット３００の前側係合溝３１０と、回転部材２２０の接点端子係合部２５０との位置関係を表した図である。図３２（Ａ１）、（Ｂ１）、（Ｃ１）は正面図である。図３２（Ａ１）は、マウント操作部２０５の操作前の状態を表す。図３２（Ｂ１）はマウント操作部２０５が、正面から見て反時計回り方向に約８°回転された状態を表す。図３２（Ｃ１）はマウント操作部２０５が、正面から見て反時計回り方向に約４５°回転された状態を表し、これは第１ＭＡ８００の装着状態である。
【００８２】
図３２（Ａ２）、（Ｂ２）、（Ｃ２）は、図３２（Ａ１）、（Ｂ１）、（Ｃ１）にそれぞれ対応する要部の断面図であり、図３２（Ａ１）、（Ｂ１）、（Ｃ１）のＱ方向から見た接点ユニット３００と、接点端子係合部２５０との位置関係を示している。接点ユニット３００については図２８に示す断面指示線Ｚ−Ｚでの断面を示している。図３２（Ａ２）から（Ｂ２）、（Ｃ２）へと、接点ユニット３００の前側係合溝３１０と回転部材２２０の接点端子係合部２５０とが係合する様子を示す。すなわち、図３２（Ａ２）の状態は、接点端子係合部２５０が前側係合溝３１０と係合する前の状態であり、図３２（Ｂ２）の状態は、接点端子係合部２５０が斜面部３５０と当接した状態である。図３２（Ｃ２）の状態は、接点端子係合部２５０と前側係合溝３１０との係合が完了した状態である。
【００８３】
図３２（Ａ２）、（Ｂ２）、（Ｃ２）において一点鎖線で示すように、接点端子係合部２５０は、マウント操作部２０５の回転動作に伴い、僅かに後方に移動する。接点端子係合部２５０の後方への移動量は、回転部材２２０の外ねじ２２１の条件によって決定される。また、前側係合溝３１０と後側係合溝３１１の前方端（入り口側の端部）には、斜面部３５０と斜面部３５１がそれぞれ設けられている。これらの斜面部は、光軸方向の幅が、前述した接点端子係合部２５０の後方への移動量以上の値に設計されている。これによりマウント操作部２０５が反時計回り方向に回転されると、接点ユニット３００は、接点端子係合部２５０によって光軸方向の前方に押し出される（図３２（Ｃ２）のＤ寸法参照）。したがって接点ユニット３００は、コイルバネ３３０による付勢力によらず、第１接点部３０１とアダプタ接点８０６との間で、十分な接触抵抗が確保される。
【００８４】
図３３を参照して、第２ＭＡ９００について説明する。図３３（Ａ）は第２ＭＡ９００を正面側から示す外観斜視図である。図３３（Ｂ）は第２ＭＡ９００の背面側から示す外観斜視図である。第２ＭＡ９００は第１ＭＡ８００と同様に、レンズ取付部９１０、レンズ取付爪９１１、ロックピン９１２、レンズリリースノブ９１３、フランジ９０５、マウントロック溝９０４、マウント面９０７、マウント爪９２０を備える。第１ＭＡ８００との相違点は、以下のとおりである。
【００８５】
・第２ＭＡ９００は、内部が空洞の筒状アダプタであること（レンズが無いこと）。
・第１ＭＡ８００よりも、第２ＭＡ９００は光軸方向の幅（厚み）が大きいこと。
・第２ＭＡ９００は、撮像装置１００および交換レンズ７００に対する電気的接続部を備えていないこと。
第２ＭＡ９００は電気的接続部がなく、フランジ９０５の背面には、第１ＭＡ８００のアダプタ接点８０６に類する部材が設けられていない。
【００８６】
図３４は、交換レンズ７００および第２ＭＡ９００と、撮像装置１００の本体部を示す外観斜視図である。図３４は、ユーザが第２ＭＡ９００に交換レンズ７００をあらかじめ取り付けた上で、本体部に装着する状態を示す。第１ＭＡ８００と異なり、第２ＭＡ９００は接点部を有さないが、本体部への装着の際には交換レンズ７００の第２接点部７０１ａによって、第１接点部３０１が押し込まれる。第１ＭＡ８００の場合と同様に、第１接点部３０１と第２接点部７０１ａとの導通を保証するために、第１接点部３０１は第２接点部７０１ａに強く押しつけられる必要がある。図３４に示す状態から、交換レンズ７００および第２ＭＡ９００を撮像装置１００の本体部に近付けると、第２ＭＡ９００が本体部に密接した状態となる。この状態で、交換レンズ７００の第２接点部７０１ａと、レンズ接点端子群３０１０が当接し、接点ユニット３００が後方に押し込まれて後方の第１の位置まで退避する。
【００８７】
図３５は、接点ユニット３００が第３の位置にある状態にて、後側係合溝３１１と接点端子係合部２５０との位置関係を表した図である。図３５（Ａ１）は、マウント操作部２０５の操作前の状態を表す。図３５（Ｂ１）はマウント操作部２０５が正面から見て反時計回り方向に約８°回転された状態を表す。図３５（Ｃ１）はマウント操作部２０５が正面から見て反時計回り方向に約４５°回転された状態を表し、これは第２ＭＡ９００の装着状態である。
【００８８】
図３５（Ａ２）、（Ｂ２）、（Ｃ２）は、図３５（Ａ１）、（Ｂ１）、（Ｃ１）にそれぞれ対応する要部の断面図であり、図３５（Ａ１）、（Ｂ１）、（Ｃ１）のＱ方向から見た接点ユニット３００と、接点端子係合部２５０との位置関係を示している。接点ユニット３００については、図２８に示す断面指示線Ｙ−Ｙでの断面を示している。図３５（Ａ２）から（Ｂ２）、（Ｃ２）へと、接点ユニット３００の後側係合溝３１１と回転部材２２０の接点端子係合部２５０とが係合する様子を示す。すなわち、図３５（Ａ２）の状態は、接点端子係合部２５０が後側係合溝３１１と係合する前の状態であり、図３５（Ｂ２）の状態は、接点端子係合部２５０が斜面部３５１と当接した状態である。図３５（Ｃ２）の状態は、接点端子係合部２５０と後側係合溝３１１との係合が完了した状態である。
【００８９】
本体部に第２ＭＡ９００が装着される場合、第１ＭＡ８００のときと同様に、接点端子係合部２５０がマウント操作部２０５の回転動作に伴って僅かに後方に移動する。第２ＭＡ９００の装着時には、第２ＭＡ９００が第１ＭＡ８００より厚いことにより、接点ユニット３００の光軸方向の移動量が少ない。そのため、接点端子係合部２５０は、接点ユニット３００の後方側に設けられている後側係合溝３１１と係合する。接点ユニット３００に設けられた前側係合溝３１０と後側係合溝３１１の光軸方向の離間距離は、第２ＭＡ９００と第１ＭＡ８００りの厚さの差と同じである。
【００９０】
図３５に示すように、本体部への第２ＭＡ９００の装着時には、接点ユニット３００の後方側に設けられた後側係合溝３１１と接点端子係合部２５０とが係合する。これにより、第１ＭＡ８００の場合と同様に、接点ユニット３００は接点端子係合部２５０によって光軸方向の前方に押し出される（図３５（Ｃ２）のＤ寸法参照）。したがって第１接点部３０１とアダプタ接点８０６との間で十分な接触抵抗が確保される。
【００９１】
図３６（Ａ）および（Ｂ）は、光軸方向の厚みが異なる２種類のマウントアダプタを、本体部にそれぞれ装着した状態を表す外観斜視図である。図３６（Ａ）は比較的薄い第１ＭＡ８００の装着状態を表わし、図３６（Ｂ）は比較的厚い第２ＭＡ９００の装着状態を表している。
【００９２】
本実施例では、接点ユニット３００を光軸方向に移動可能とする移動機構部を備えることで、厚みの異なる複数のマウントアダプタを本体部に装着することができる。第２ＭＡ９００を本体部に装着した図３６（Ｂ）の状態に比べて第１ＭＡ８００を本体部に装着した図３６（Ａ）に示す状態では、接点ユニット３００が光軸方向の後方に押し込まれている。すなわち撮像装置１００は、接点ユニット３００が光軸上で複数のポジションをとることによって、厚みの異なる複数のマウントアダプタに対応可能である。
【００９３】
［変形例］
次に、図３７を参照して、第２実施例の変形例について説明する。変形例に係る接点ユニット３００は、前側係合溝３１０と後側係合溝３１１に加えて、第３の係合溝５０１を備える。例えば、第３の係合溝５０１は、前側係合溝３１０および後側係合溝３１１よりも前側に形成される。３本の係合溝を有する接点端子部５００において、斜面部５０２を有する第３の係合溝５０１と、接点端子係合部２５０とが係合する。これにより、第１ＭＡ８００よりもさらに厚みの薄い第３のマウントアダプタに対応することができる。または別の変形例では、第３の係合溝５０１の位置が、マウントアダプタではなく、交換レンズに対応して設定される。つまり、撮像装置１００の本体部に交換レンズ７００を取り付ける場合に、第３の係合溝５０１が使用される。変形例の接点ユニットにおいては、複数の交換レンズまたはマウントアダプタのフランジバックの差分に対応する複数の係合溝が光軸方向に離間して配置される。この構成によれば、撮像装置のマウント面に対して交換レンズまたはマウントアダプタの電気接点位置が変化する複数の使用形態において、交換レンズと電気的に接続可能な撮像装置およびマウントアダプタを提供できる。
【符号の説明】
【００９４】
２００ ・・・ マウント部
２０５ ・・・ マウント操作部
２２０ ・・・ 回転部材
２５０ ・・・ 接点端子係合部
３００ ・・・ 接点ユニット
３０３ ・・・ 位置操作部
３０４ ・・・ 突出部
３０５，３０６ ・・・ ロックピン
３１０，３１１，５０１ ・・・ 係合溝
４００ ・・・接点移動機構部
７００ ・・・ 交換レンズ
８００，９００ ・・・ マウントアダプタ
【図１】
2018066813.tif 000003
【図２】
2018066813.tif 000004
【図３】
2018066813.tif 000005
【図４】
2018066813.tif 000006
【図５】
2018066813.tif 000007
【図６】
2018066813.tif 000008
【図７】
2018066813.tif 000009
【図８】
2018066813.tif 000010
【図９】
2018066813.tif 000011
【図１０】
2018066813.tif 000012
【図１１】
2018066813.tif 000013
【図１２】
2018066813.tif 000014
【図１３】
2018066813.tif 000015
【図１４】
2018066813.tif 000016
【図１５】
2018066813.tif 000017
【図１６】
2018066813.tif 000018
【図１７】
2018066813.tif 000019
【図１８】
2018066813.tif 000020
【図１９】
2018066813.tif 000021
【図２０】
2018066813.tif 000022
【図２１】
2018066813.tif 000023
【図２２】
2018066813.tif 000024
【図２３】
2018066813.tif 000025
【図２４】
2018066813.tif 000026
【図２５】
2018066813.tif 000027
【図２６】
2018066813.tif 000028
【図２７】
2018066813.tif 000029
【図２８】
2018066813.tif 000030
【図２９】
2018066813.tif 000031
【図３０】
2018066813.tif 000032
【図３１】
2018066813.tif 000033
【図３２】
2018066813.tif 000034
【図３３】
2018066813.tif 000035
【図３４】
2018066813.tif 000036
【図３５】
2018066813.tif 000037
【図３６】
2018066813.tif 000038
【図３７】
2018066813.tif 000039